(57)【要約】【課題】オイル持ち去り量が増えるおそれを軽減或いは解消させ、エアクリーナの目詰まりなどが生じてもエンジンオイルが早期減少しないようにして、改善されたブローバイガス還流装置付エンジンを提供する。【解決手段】ブローバイガスをヘッドカバー３内のカバー内ガス通路２６を通して吸気通路ｋに導くブローバイガス還流装置付エンジンにおいて、カバー内ガス通路２６の底壁２５に、ブローバイガスから捕捉されたオイルの流下排出が可能な逆止弁３４を設け、逆止弁３４の弁座４６に、弁体３４Ａが当接する座面４６ａで開口し、かつ、弁座４６に形成されているオイル流し用の弁路３３ａに連通し、かつ、座面４６ａの面拡がり方向に貫通する路溝４７が形成され、弁体３４Ａが弁座４６ａに当接した閉弁状態において、弁路３３ａにあるオイルの路溝４７を通っての流下排出が可能に構成されている。【選択図】図１２
2020204302.tif 000002
【特許請求の範囲】
【請求項１】
クランクケースからのブローバイガスを、ヘッドカバーの内部に形成されたカバー内ガス通路を通して吸気通路に導くように構成され、
前記カバー内ガス通路の底壁に、前記カバー内ガス通路においてブローバイガスから捕捉されたオイルの流下排出が可能な逆止弁を設け、
前記逆止弁の弁座に、前記弁座における弁体が当接する座面で開口し、かつ、前記弁座に形成されているオイル流し用の弁路に連通し、かつ、前記座面の面拡がり方向に貫通する路溝が形成され、
前記弁体が前記弁座に当接した閉弁状態において、前記弁路にあるオイルが前記路溝を通って排出されることが可能に構成されているブローバイガス還流装置付エンジン。
【請求項２】
前記路溝は、前記弁座における前記弁路を挟んだ複数箇所に形成されている請求項１に記載のブローバイガス還流装置付エンジン。
【請求項３】
前記路溝は、前記底壁の下方で前記逆止弁が設けられている部位におけるブローバイガス流れ方向で前記弁路に対する上流側と下流側とのそれぞれに形成されている請求項２に記載のブローバイガス還流装置付エンジン。
【請求項４】
前記逆止弁は、弾性を有する板材製で片持ち支持される弁体を有するリード弁に構成されている請求項１〜３の何れか一項に記載のブローバイガス還流装置付エンジン。
【請求項５】
前記弁座は、前記底壁における最も高さの低い最低壁に形成され、前記最低壁の下面でなる前記座面に下方から当接可能な弁体が前記最低壁に取付けられている請求項４に記載のブローバイガス還流装置付エンジン。
【請求項６】
前記ヘッドカバーは気筒配列方向に長い長尺形状をなし、前記路溝は前記ヘッドカバーの長手方向に沿って延びる状態で形成されている請求項１〜５の何れか一項に記載のブローバイガス還流装置付エンジン。
【請求項７】
前記吸気通路は、前記ヘッドカバーにおける前記逆止弁の上方に設けられたカバー吸気通路を有するとともに、前記カバー内ガス通路と前記カバー吸気通路とが連通されている請求項１〜６の何れか一項に記載のブローバイガス還流装置付エンジン。
【発明の詳細な説明】
【技術分野】
【０００１】
本発明は、農機や建機に適用されるディーゼルエンジンや自動車用エンジンなど、ブローバイガスを吸気通路に還流するように構成されたブローバイガス還流装置付エンジンに関するものである。
【背景技術】
【０００２】
上述した各種のエンジンにおいては、ブローバイガスを吸気通路に戻すためのブローバイガス還流装置を装備しているのが一般的である。即ち、クランクケースからのブローバイガスを、ヘッドカバーの内部に形成されたカバー内ガス通路を通して吸気通路に導くように構成されている。
【０００３】
ヘッドカバーのカバー内ガス通路は、ブローバイガスを流すための専用の箱体をヘッドカバーに内装させる構造や、ヘッドカバーの内部スペースを上下に仕切る仕切り壁を設け、仕切り壁の上側をブローバイガスの通り道とする構造のものが多い。このような従来例としては、特許文献１において開示されたものが知られている。
【０００４】
ブローバイガスは、ミスト状になったオイル（水分も含まれる）を含んでおり、そのままの状態で吸気通路に戻されるとエンジンオイルが早期に減少して都合が悪い。そこで、ブローバイガスの通路には、ブローバイガス中のオイル成分を捕捉して回収するためのフィルタやセパレータなどのオイル回収部と、回収されたオイルをエンジン内部に戻すためのオイル戻し部が設けられている。
【０００５】
特許文献１においては、ヘッドカバー内を上下に仕切る仕切板４を設け、その上側にカバー内ガス通路が形成されるとともに、仕切板４の上側にオイルセパレータ部５が構成されている。カバー内ガス通路にて捕捉されたオイルは、仕切板４に設けられたドレインバルブ４３や下方突出する回収筒４９から流下排出され、エンジン内（九ランクケース内）に戻されるようになる。
【先行技術文献】
【特許文献】
【０００６】
【特許文献１】特開２０１９−２７３４２号公報
【発明の概要】
【発明が解決しようとする課題】
【０００７】
カバー内ガス通路におけるブローバイガス中のオイルミスト（ミスト状のオイル）は、フィルタやセパレータで、或いはヘッドカバーの内壁に衝突したりすることで気液分離され、オイルとして回収されるようになる。しかしながら、回収されたオイルはカバー内ガス通路における各所に滞留しやすいため、エアクリーナの目詰まりなどによって吸気負圧が過大になると、滞留しているオイルが吸気通路に吸込まれてしまい、オイル持ち去り量が一気に増大するおそれがある。
【０００８】
エンジンオイルの早期減少を招くオイル持ち去り量の増大は、特許文献１の場合のように、ドレインバルブや回収筒などのオイル回収部を設けていても生じる可能性のあることが判ってきたため、何らかの対策を講じることが必要になってきている。
【０００９】
本発明の目的は、ヘッドカバーのさらなる内部構造の工夫により、オイル持ち去り量が増えるおそれを軽減或いは解消させ、エアクリーナの目詰まりなどが生じてもエンジンオイルが早期減少しないようにして、改善されたブローバイガス還流装置付エンジンを提供する点にある。
【課題を解決するための手段】
【００１０】
本発明は、ブローバイガス還流装置付エンジンにおいて、
クランクケースからのブローバイガスを、ヘッドカバーの内部に形成されたカバー内ガス通路を通して吸気通路に導くように構成され、
前記カバー内ガス通路の底壁に、前記カバー内ガス通路においてブローバイガスから捕捉されたオイルの流下排出が可能な逆止弁を設け、
前記逆止弁の弁座に、前記弁座における弁体が当接する座面で開口し、かつ、前記弁座に形成されているオイル流し用の弁路に連通し、かつ、前記座面の面拡がり方向に貫通する路溝が形成され、
前記弁体が前記弁座に当接した閉弁状態において、前記弁路にあるオイルが前記路溝を通って排出されることが可能に構成されていることを特徴とする。
【００１１】
前記路溝は、前記弁座における前記弁路を挟んだ複数箇所に形成されていると好都合であり、前記路溝が、前記底壁の下方で前記逆止弁が設けられている部位におけるブローバイガス流れ方向で前記弁路に対する上流側と下流側とのそれぞれに形成されていればさらに好都合である。
【００１２】
前記逆止弁は、弾性を有する板材製で片持ち支持される弁体を有するリード弁に構成されていると好都合である。そして、前記弁座は、前記底壁における最も高さの低い最低壁に形成され、前記最低壁の下面でなる前記座面に下方から当接可能な弁体が前記最低壁に取付けられていると良い。
【００１３】
前記ヘッドカバーは気筒配列方向に長い長尺形状をなし、前記路溝は前記ヘッドカバーの長手方向に沿って延びる状態で形成されていると良い。また、前記吸気通路は、前記ヘッドカバーにおける前記逆止弁の上方に設けられたカバー吸気通路を有するとともに、前記カバー内ガス通路と前記カバー吸気通路とが連通されていると好都合である。
第２の本発明は、本発明において、ことを特徴とする。
【発明の効果】
【００１４】
本発明によれば、カバー内ガス通路の底壁に設けた逆止弁の弁座の座面に、その面拡がり方向に貫通する路溝を形成したので、カバー内ガス通路で捕捉されて弁路に溜まっているオイルは、エンジン内での吸気脈動波によって路溝から流下排出されてエンジン内に戻されるようになる。前記吸気脈動波が無い又は殆ど無い場合は、逆止弁は通常の逆止作用を発揮する弁として機能する。
【００１５】
従って、エアクリーナが目詰まりするなどによって吸気負圧が過大になっても、逆止弁からオイルが逆流して吸い上げられることはないし、カバー内ガス通路にオイルが溜まる状態もまず生じないようになるので、吸気通路へのオイル持ち去り量が増えるおそれを解消させることが可能になる。
【００１６】
その結果、ヘッドカバーのさらなる内部構造の工夫により、オイル持ち去り量が増えるおそれを軽減或いは解消させ、吸気負圧が過大になることが生じてもエンジンオイルが早期減少しないようになり、改善されたブローバイガス還流装置付エンジンを提供することができる。
【図面の簡単な説明】
【００１７】
【図１】産業用ディーゼルエンジンの左側面図
【図２】図１に示すエンジンの正面図
【図３】図１に示すエンジンの右側面図
【図４】図１に示すエンジンの平面図
【図５】図１に示すエンジンの背面図
【図６】ヘッドカバー前部周辺の平面図
【図７】ヘッドカバー及びカバー吸気通路を示す一部切欠きの左側面図
【図８】ヘッドカバーの平面図
【図９】ヘッドカバーの底面図
【図１０】図８のＸ−Ｘ線断面図のヘッドカバーとガス出口カバーとを示す正面図
【図１１】ガス出口カバーを示し、（Ａ）は平面図、（Ｂ）は底面図
【図１２】ブローバイガス出口部と動弁装置とを示し、（Ａ）は横断面図、（Ｂ）は要部の縦断断面図
【図１３】（Ａ）排出リード弁の側面図、（Ｂ）戻しリード弁の側面図
【図１４】（Ａ）ガスケットの平面図、（Ｂ）ガスケットとその上下部分の断面図
【図１５】戻しリード弁の構造を示す一部切欠きの左側面図
【図１６】路溝の各種の別実施形態を示し、（Ａ）は戻しリード弁の要部の一部切欠き側面図、（Ｂ）前後の戻しリード弁を示す要部の底面図
【発明を実施するための形態】
【００１８】
以下に、本発明によるブローバイガス還流装置付エンジンの実施の形態を、産業用ディーゼルエンジンに適用した場合について図面を参照しながら説明する。
【００１９】
図１〜図５に示されるように、産業用ディーゼルエンジン（以下、単にエンジンと略称する）Ｅは、シリンダブロック１の上部にシリンダヘッド２が組付けられ、シリンダヘッド２の上部にヘッドカバー３が組付けられ、シリンダブロック１の下部にオイルパン４が組付けられている。シリンダブロック１の前端部に伝動ケース５が組付けられ、伝動ケース５の前部にエンジン冷却ファン６が配置され、シリンダブロック１の後部にフライホイール７が配置されている。シリンダブロック１の上半部はシリンダ１Ａに、そして、下半部はクランクケース１Ｂにそれぞれ構成されている。
【００２０】
エンジンＥの前部に、クランク軸（図示省略）の軸端に取り付けられる駆動プーリ８、エンジン冷却ファン６の駆動用ファンプーリ６Ａ、及びダイナモ（オルタネータ）９の受動プーリ９Ａに跨る伝動ベルト１０、ウォータフランジ２１などが配備されている。エンジンＥの左側には、排気マニホルド１１、過給機１２、スタータ１３、オイルフィルタ１４などが装備されている。エンジンＥの右側には吸気マニホルド１５、燃料噴射ポンプハウジング１６、停止ソレノイド１７などが装備され、上方には３つのインジェクタ１８、コンプレッサ上流側吸入通路１９、コンプレッサ下流側吸入通路２０などが配置されている。
【００２１】
コンプレッサ下流側吸入通路２０は、コンプレッサハウジング１２Ａに連結されてヘッドカバー３の直上に横切って配置されている始端側管２０Ａと、始端側管２０Ａと吸気マニホルド１５とを繋ぐ終端側管２０Ｂとを備えて構成されている。図４に示されるように、平面視において始端側管２０Ａは、カバー吸気通路１９Ａの後側の位置で沿う状態に配置されている。曲り管１９Ｂ、始端側管２０Ａ、終端側管２０Ｂは、ゴム等の可撓性を有する材料製のパイプ、或いは金属製パイプから成るものでも良い。
【００２２】
図４，６，７、及び図１０に示されるように、このエンジンＥには、クランクケース１Ｂ内のブローバイガスを、ヘッドカバー３の内部を通してから吸気通路ｋに導くように構成されたブローバイガス還流装置Ａが装備されている。ヘッドカバー３は、動弁装置Ｂを跨いでシリンダヘッド２に組み付けられる無底箱状（上蓋状）の部品であり、左右に延びる複数のリブ３ａがカバー内側に形成されている。ヘッドカバー３の後部には、エンジンオイルの供給用孔２２が設けられている。
【００２３】
吸気通路ｋは、ヘッドカバー３のブローバイガス出口部３Ａに設けられたカバー吸気通路１９Ａを有し、ブローバイガス出口部３Ａの内部空間である出口空間部（カバー内ガス通路の一例）２６とカバー吸気通路１９Ａとが連通されている。カバー吸気通路１９Ａは、エアクリーナ２３（図４や図６を参照）と過給機１２とを接続するコンプレッサ上流側吸入通路１９の一部として構成されている。つまり、コンプレッサ上流側吸入通路１９は、カバー吸気通路１９Ａと、カバー吸気通路１９Ａと過給機１２のコンプレッサハウジング１２Ａとを繋ぐ曲り管１９Ｂと、を有して構成されている。なお、吸気通路ｋとは、エアクリーナ２３や吸気マニホルド１５など、空気ａを燃焼室（図示省略）まで送るための全通路とする概念である。
【００２４】
ここで、ブローバイガス還流装置Ａにおける主要な機能（吸気通路ｋへの還流部分）を簡単に説明する。図６，図７に示されるように、シリンダブロック１からヘッドカバー３の内部空間に流れてくるブローバイガスｇは、排出リード弁３１を通ってブローバイガス出口部３Ａのブローバイガス通路である出口空間部２６に入る。ＣＣＶ（クランクケースベンチレーション）室とも呼ばれる出口空間部２６に入ったブローバイガスｇは、ガスケット３５の連通孔３８及び連絡通路４０（後述）を通ってカバー吸気通路１９Ａに、即ち、吸気通路ｋに還元される。なお、符記は省略するが、ヘッドカバー３の内部における動弁装置Ｂを除いた空間部分はブローバイガスｇが通過可能であって、出口空間部２６と共に「カバー内ガス通路」であると定義する。
【００２５】
次に、ヘッドカバー３及びカバー吸気通路１９Ａについて詳しく説明する。
図６〜図１０に示されるように、平面視で角丸四角形（長円形）を呈するヘッドカバー３は、その頂壁３Ｃの前端部に、上向き開放状のブローバイガス出口部３Ａが形成されている。ブローバイガス出口部３Ａは、上下向きの隔側壁２４と底壁２５とで囲まれた出口空間部２６、及び上面である接合面２７を備えた無蓋箱状の部分としてヘッドカバー３に形成されている。
【００２６】
ブローバイガス通路である出口空間部２６は、平面視で右側に短い辺を持つ台形を呈する箇所であり、底壁２５は、深さの浅い主底面２５Ａと、深さが前後方向で異なる状態で主底面２５Ａの前後それぞれに形成された流し底面２５Ｂ，２５Ｂとを有している。平面視で横向きＴ字形状を呈する主底面２５Ａの前後中央部位には、ブローバイガスｇをヘッドカバー３内から送り出すための排出リード弁３１が横向き（左向き）姿勢で装備されている。
【００２７】
排出リード弁３１は、図７〜図１０、図１２、図１３に示されるように、主底面２５Ａ上に配置される薄肉の排出弁体３１Ａと、厚肉の排出弁ガイド３１Ｂとを、それぞれの根元側にて底壁２５にボルト止めすることで構成されている。排出弁体３１Ａの丸い先端部３１ａは、主底面２５Ａに開口して底壁２５に形成された排出弁孔３１Ｃの上側に配置され、通常は排出弁孔３１Ｃの蓋となっている（閉弁状態）。底壁２５における排出弁孔３１Ｃの部位は、上下方向視で排出弁孔３１Ｃと同心状の丸形状を呈して下方に突出する突出孔壁２５ａに形成されている。
【００２８】
流し底面２５Ｂは、排出リード弁３１の前後から前又は後へ行くに従って低くなる傾斜面３２と、傾斜面３２の低い側に続く最低面（最低壁）３３とを備えている（図８を参照）。最低面３３は、傾斜面３２に対して斜め左側に寄って位置する状態に構成されている。底壁２５における各最低面３３，３３には、それぞれ上下に貫通する戻し弁孔（弁路の一例）３３ａが形成され、これら戻し弁孔３３ａに対する戻しリード弁（逆止弁の一例）３４が設けられている。
【００２９】
戻しリード弁３４は、図７〜図１０、図１２、図１３（Ｂ）、及び図１５に示されるように、底壁２５における最低面３３の反対側面、即ち最低裏面３３Ａに接する戻し弁体３４Ａと、厚肉の戻し弁ガイド３４Ｂとを、それぞれの根元側にて底壁２５にボルト止めすることで構成されている。戻しリード弁３４は、排出リード弁３１とは上下逆さまの姿勢で設けられており、通常は、戻し弁体３４Ａの先端部３４ａによって戻し弁孔３３ａが軽く閉じられた状態になっている。
【００３０】
各戻しリード弁３４，３４は、それぞれ先端部３４ａが左側になる横向き姿勢で配置されており、出口空間部２６においてブローバイガスｇから捕捉されたオイルミストを、ヘッドカバー３の内部空間に戻す箇所である。各戻し弁孔３３ａ，３３ａの径はいずれも排出弁孔３１Ｃの径よりも小さい。弾性を有する板材製で片持ち支持される戻し弁体３４Ａと排出弁体３１Ａ、及び戻し弁ガイド３４Ｂと排出弁ガイド３１Ｂはそれぞれ同一の部品であれば好都合である。
【００３１】
図６〜図８及び図１１に示されるように、ブローバイガス出口部３Ａの上にはガス出口カバー３Ｂがボルト止めされており、ガス出口カバー３Ｂは、蓋カバー部３６とカバー吸気通路１９Ａとを備えて構成されている。蓋カバー部３６は、平面視でブローバイガス出口部３Ａと同様の外郭形状を有し、ガスケット３５を挟んでの３箇所のボルト止めによりヘッドカバー３に固定される箇所である。
【００３２】
図１１（Ａ），（Ｂ）に示されるように、カバー吸気通路１９Ａは、カバー吸気通路１９Ａの通路始端部１９ａに対してカバー吸気通路１９Ａの通路終端部１９ｂがヘッドカバー３の長手方向で外側に寄る状態に屈曲した蛇行通路に形成されている。詳しくは、カバー吸気通路１９Ａは、ヘッドカバー長手方向（前後方向）に直交（交差の一例）する方向に延びて互いに平行な通路始端部１９ａ及び通路終端部１９ｂと、通路始端部１９ａの終端と通路終端部１９ｂの始端とを繋ぐ前後左右で斜め向きの通路中間部１９ｃとを有し、平面視でクランク状（略Ｚ形状）を呈する蛇行通路に形成されている。
【００３３】
通路中間部１９ｃは、断面が下向きＵ字形状の溝状通路部に形成され、その下端の開放口３７は、平面視の形状が通路中間部１９ｃと同様な形状で下側に開口する状態に形成されている。また、蓋カバー部３６には、開放口３７の後に位置して下方開口するガス通路用凹み３６ａが形成され、ボルト孔３ｂが３箇所に形成されている。
【００３４】
図１４（Ａ）に示されるように、ガスケット３５は、１箇所の連通孔３８と、３箇所のボルト挿通孔３９とを備えた薄板状（シート状）のものである。図１４（Ｂ）に示されるように、ガスケット３５は、ブローバイガス出口部３Ａの上面である接合面２７と蓋カバー部３６の（ガス出口カバー３Ｂの）接合下面３６ｂとの間で挟持される状態で設けられている。ブローバイガス出口部３Ａの接合面２７の外郭形状と、ガスケット３５の外郭形状と、蓋カバー部３６の外郭形状とは互いに同形であるが、この限りではない。
【００３５】
図６に示されるように、ブローバイガス出口部３Ａの出口空間部２６は、蓋カバー部３６の開放口３７のほぼ全面を覆う上面開口を有しており、ガスケット３５の連通孔３８は、出口空間部２６と開放口３７とを連通させる唯一の箇所である。つまり、連通孔３８は、通路中間部１９ｃ（開放口３７）と出口空間部２６との連通面積及び通路中間部１９ｃに対する連通位置を定める孔である。
【００３６】
動弁装置Ｂについて簡単に説明する。図８、図１０、図１２に示されるように、動弁装置Ｂは、シリンダヘッド２に立設されている軸支部２ａの複数個所に支持されて前後方向に延びるロッカーアーム軸２８と、ロッカーアーム軸２８に揺動可能に軸支される給排気用で複数（計６個）のロッカーアーム２９，３０とを有して構成されている。
【００３７】
ロッカーアーム２９，３０は、給排バルブ（図示省略）を作動させる駆動側端部２９ａ，３０ａ、及びプッシュロッド（図示省略）により駆動される受動側端部２９ｂ，３０ｂを備えている。シリンダヘッド２には、プッシュロッドを通すために形成されたプッシュロッド孔（図示省略）が形成されており、図８に示されるように、そのプッシュロッド孔を通ってブローバイガスｇがヘッドカバー３内に送られてくる。
【００３８】
ブローバイガス還流装置Ａにおいては、ヘッドカバー３の内部と出口空間部２６とは、排出リード弁３１と２箇所の戻しリード弁３４，３４を備えた底壁２５により仕切られており、出口空間部２６はガスケット３５の連通孔３８によりカバー吸気通路１９Ａと連通されている。従って、ヘッドカバー３の内圧がカバー吸気通路１９Ａの圧より高い状態では、排出リード弁３１が開弁し、ヘッドカバー３内のブローバイガスｇは排出リード弁３１、出口空間部２６、連通孔３８を通って通路中間部１９ｃに入り、吸気通路ｋに還流される。
【００３９】
そして、ヘッドカバー３の内圧とカバー吸気通路１９Ａの圧とが同じ状態、或いはヘッドカバー３の内圧がカバー吸気通路１９Ａの圧より低い状態では、一対の戻しリード弁３４，３４が開弁し、出口空間部２６においてブローバイガスｇ中から捕捉されたオイルが戻し弁孔３３ａ、３３ａからヘッドカバー３内に落下される。戻し弁孔３３ａ，３３ａからの滴下オイルは、エンジン内部に戻されるだけでなく、ロッカーアーム軸２８とロッカーアーム２９との摺動部（図示省略）など、動弁装置Ｂに供給される良好な潤滑機能も得られる。
【００４０】
本実施形態によるブローバイガス還流装置付エンジンでは、コンプレッサ上流側吸入通路１９の一部であるカバー吸気通路１９Ａがヘッドカバー３に取り付けられ、ブローバイガス出口部３Ａの出口空間部２６と、カバー吸気通路１９Ａの通路中間部１９ｃとがガスケット３５の連通孔３８を介して連通されている。ヘッドカバー３は、シリンダヘッド２から熱伝導されて温かくなる箇所であり、その温かくなるヘッドカバー３の一部であるカバー吸気通路１９Ａにブローバイガスｇが戻される。
【００４１】
従って、極寒時などによって吸入空気ａが冷たくても、カバー吸気通路１９Ａを流れる空気ａは温度上昇される〔図１１（Ａ）を参照〕ので、通路中間部１９ｃに還流されるブローバイガスｇ中の水分が凍結することが解消又は抑制されるようになる。その結果、出口空間部２６における吸気系に接続される終端部において凍結され難い状態となり、低温時の凍結による不都合が極力生じないように改善されたブローバイガス還流装置付エンジンを提供することができる。
【００４２】
カバー吸気通路１９Ａは、通路始端部１９ａに対して通路終端部１９ｂがヘッドカバー長手方向で外側（前側）に寄る状態に形成されている。詳しくは、カバー吸気通路１９Ａは、ヘッドカバー３の長手方向（前後方向）に交差する方向（左右方向）に延びて互いに平行な通路始端部１９ａ及び通路終端部１９ｂと、通路始端部１９ａの終端と通路終端部１９ｂの始端とを繋ぐ通路中間部１９ｃとを有して形成されている。
【００４３】
そして、図６や図１１に示されるように、カバー吸気通路１９Ａは、平面視で略Ｚ状（クランク状又は折れ曲がり状）となる蛇行した通路に設定されている。このカバー吸気通路１９Ａの蛇行により、図１１（Ａ）に示されるように、直線に比べて空気ａの流れが変化して活発化されている箇所にブローバイガスｇが還流されるので、前述の凍結防止作用が強化される利点がある。
【００４４】
通路始端部１９ａより通路終端部１９ｂが前側（ヘッドカバー長手方向で外側）に寄っているので、型成形部品のガス出口カバー３Ｂによるカバー吸気通路１９Ａを蛇行通路にすれば、構造簡単にコンプレッサ上流側吸入通路１９の形状を非直線通路にできる利点がある。また、コンプレッサ上流側吸入通路１９におけるブローバイガスｇの合流箇所（通路中間部１９ｃ）より下流側（通路終端部１９ｂ）が前に寄っているので、エンジン冷却ファン６の冷却風による冷却作用が通路始端部１９ａより強化され、吸気マニホルド１５への供給空気の温度を低められる利点もある。
【００４５】
ガス出口カバー３Ｂ及びその付近について追加説明する。図１０、図１１に示されるように、出口空間部２６とカバー吸気通路１９Ａとは、連通孔３８と、ラビリンス状の連絡通路４０とにより連通されている。連絡通路４０は、ガス出口カバー３Ｂのガス通路用凹み３６ａと、これの開口を塞ぐ蓋となるガスケット３５とによって構成されている。ガス出口カバー３Ｂのガス通路用凹み３６ａは、通路中間部１９ｃのガス流れ方向で下流側の端部に連通している。
【００４６】
図１１（Ａ），（Ｂ）に示されるように、ガス通路用凹み３６ａは、その右側端部がガスケット３５の連通孔３８の上に位置するとともに、通路中間部１９ｃに繋がる幅狭で前後向きの終端凹み４２を有している。そして、ガス出口カバー３Ｂには、終端凹み４２に沿ってガス通路用凹み３６ａに向けて後方突出する左突起壁４３と、左突起壁４３の右側においてガス通路用凹み３６ａに向けて前方突出する右突起壁４４とが形成されている。従って、連通孔３８から流れてくるブローバイガスｇが、右突起壁４４及び左突起壁４３によってラビリンス状（クランク状）に屈曲した経路である連絡通路４０を通ってから通路中間部１９ｃに進むように構成されている。
【００４７】
図１１（Ａ），（Ｂ）に示されるように、連絡通路４０における吸気通路側の端部（終端凹み４２）を除く部分と、カバー吸気通路１９Ａ、詳しくは通路中間部１９ｃとの間に断熱部Ｄが設けられている。断熱部Ｄは、ガス出口カバー３Ｂのガスケット側面に開口する状態でガス出口カバー３Ｂに形成された湾曲状長穴（凹み又は穴の一例）４１により構成され、湾曲状長穴４１の開口４１ａは、ガスケット３５により覆われている。
【００４８】
湾曲状長穴４１は、通路中間部１９ｃとガス通路用凹み３６ａとの間に、厚さの薄い前後それぞれのリブ状壁４５，４５で仕切られる状態で形成されている。ガスケット３５の存在により、湾曲状長穴４１は閉塞された空間部となるので、その空間部が空気層となって断熱部Ｄが形成されている。なお、湾曲状長穴４１の深さは、ガス通路用凹み３６ａの深さよりも深く形成されているが、この限りではない。
【００４９】
ブローバイガス通路である出口空間部２６と通路中間部１９ｃとを連通させる連絡通路４０が、ストレートな経路ではなくジグザグに屈曲したラビリンス状の通路とされているので、エアクリーナ２３などの吸気通路ｋ側（通路中間部１９ｃ）からの液滴（水分など）がヘッドカバー３の内部に侵入し難い効果がある。そして、ブローバイガス中のオイル成分が連絡通路４０に引き込まれ難くなり、引き込まれたとしてもラビリンス状通路によって振り落とされ、オイル除去作用が発揮される効果も奏することができる。
【００５０】
また、連絡通路４０と通路中間部１９ｃと互いに沿う形状とされているが、これら両者４０，１９ｃの間には断熱部Ｄが形成されているから、寒冷時において、ブローバイガス出口部３Ａが、特に連絡通路４０の付近の温度が吸気によって低下し難くなり、凍結のおそれがさらに減少する効果が得られる。
【００５１】
次に、戻しリード弁３４の構造を、後側の戻しリード弁３４について詳述する。図９、図１２（Ｂ）、図１３（Ｂ），及び図１５に示されるように、戻しリード弁３４は、カバー内ガス通路（出口空間部）２６の底壁２５に、カバー内ガス通路２６においてブローバイガスｇから捕捉されたオイルの流下排出が可能な逆止弁である。
【００５２】
戻しリード弁３４の弁座４６に、弁座４６における戻し弁体３４Ａが当接する座面４６ａで開口し、かつ、弁座４６に形成されているオイル流し用の弁路３３ａに連通し、かつ、座面４６ａの面拡がり方向（前後方向や左右方向など）に貫通する路溝４７が形成されている。弁体３４Ａが弁座４６の座面４６ａに当接した閉弁状態〔図１３（Ｂ）の状態〕において、弁路３３ａにあるオイルが、スリット状の路溝４７を通って流下排出されることが可能に構成されている。
【００５３】
路溝４７は、弁座４６における弁路３３ａを挟んだ複数箇所に形成されている。例えば、図１２（Ｂ）や図１５に示されるように、路溝４７は、底壁２５の下方で戻しリード弁３４が設けられている部位（カバー内ガス通路）におけるブローバイガスｇ流れ方向で弁路３３ａに対する上流側と下流側とのそれぞれに、具体的には後側溝部４７ａと前側溝部４７ｂとの双方によりなるものとして形成されている。路溝４７の断面形状は、図１３（Ｂ）に示されるように、横向きＤ字状のものが挙げられるが、この限りではない。
【００５４】
弁座４６は、底壁２５における最も高さの低い最低壁３３に形成され、最低壁３３の下面でなる座面（本実施形態では最低裏面３３Ａでもある）４６ａに下方から当接可能な戻し弁体３４Ａが最低壁３３に取付けられている。ヘッドカバー３は気筒配列方向（前後方向）に長い長尺形状をなし、後側及び前側の各溝部４７ａ，４７ｂはヘッドカバー３の長手方向（前後方向）に沿って延びる状態で形成されている。
【００５５】
各溝部４７ａ，４７ｂの断面積は、弁路３３ａの断面積よりも十分小さいので、戻しリード弁３４の上側空間と下側空間との圧力差がないか又は極めて小さい場合は、弁路３３ａに溜まったオイルは表面張力によって路溝４７内に留まり、外部に漏れ出ること、即ち、流下排出されることはない。つまり、後側溝部４７ａの後側の開口面積、及び前側溝部４７ｂの前側の開口面積は、ヘッドカバー３の内部における空間部２６以外の空間部の圧と空間部２６の圧とが同じ又はほぼ同じ状態では、各溝部４７ａ，４７ｂからオイルが排出できない表面張力が働く程度の面積に設定されている。
【００５６】
一対の溝部４７ａ，４７ｂが弁路３３ａの下端部を挟んで前後に設けられているので、閉弁状態においては、弁座４６の下端部には上下逆向きＴ字状のオイル通路（図１５参照）が、即ち、オイル排出がされやすいラビリンス構造のオイル通路が形成されている。従って、弁路３３ａに溜まっているオイルは、エンジン内での吸気脈動波（圧力脈動波）によって路溝４７から排出されることが可能になる。例えば、１５図に示されるように、後側溝部４７ａに作用する吸気脈動波により、弁路３３ａの底部に溜まっているオイル（液体オイル）が前側溝部４７ｂから前方に排出されるようになる。
【００５７】
つまり、断面積が十分に小さくて前後に貫通する路溝４７を戻しリード弁３４の弁座４６に設けたので、出口空間部２６で捕捉されて弁路３３ａに溜まっているオイルは、吸気脈動波によって路溝４７から流下排出されてエンジン内に戻されるようになる。エンジン内での吸気脈動波が無い又は殆ど無い場合は、戻しリード弁３４は通常の逆止弁として機能する。
【００５８】
従って、吸気負圧が過大になったとしても、戻しリード弁３４からオイルが逆流して吸い上げられることはないし、出口空間部２６にオイルが溜まる状態もまず生じないので、カバー吸気通路１９Ａからのオイル持ち去り量が増えるおそれを解消させることが可能になる。オイル持ち去り量が低減されることにより、次の（１）〜（３）の効果が得られる。
（１）オイル消費量の低減が可能になる
（２）吸気ポート内部のオイル付着やエンジン内部へのオイル侵入による性能低下を抑制させることが可能になる
（３）エアクリーナが完全に目詰まりしても、オイル持ち去り量の抑制や解消が可能になる
【００５９】
以上、後側の戻しリード弁３４について説明したが、前側の戻しリード弁３４の場合は、吸気脈動波が前側溝部４７ｂに作用し、後側溝部４７ａから後方下方へオイルが流下排出されるようになると考えられる。
【００６０】
〔別実施形態〕
・図１６（Ａ）に示されるように、後側溝部４７ａの断面積と前側溝部４７ｂの断面積とが互いに異なるように路溝４７を形成してもよい。
・図１６（Ａ）に示されるように、後側と前側の各溝部４７ａ，４７ｂを、前後方向で断面積が変化する先細り状、或いは先拡がり状の形状としてもよい。
【００６１】
・図１６（Ｂ）に示されるように、ヘッドカバー３の形状や、カバー内ガス通路２６の形状などによっては、吸気脈動作用を受ける２つの後側溝部４７ａ，４７ａと、１つの前側溝部４７ｂとでなる３つの溝部でなる構造の路溝４７でもよい。
・図１６（Ｂ）に示されるように、路溝４７は、弁座４６を前後などに貫通し、かつ、その中間部が弁路３３ａに連通される１つの溝によりなるものでもよい。
【符号の説明】
【００６２】
１Ｂ        クランクケース
３          ヘッドカバー
１９Ａ      カバー吸気通路
２５        底壁
２６        カバー内ガス通路（出口空間部）
３３        最低壁
３３ａ      弁路（戻し弁孔）
３４        逆止弁、リード弁
３４Ａ      弁体
４６        弁座
４６ａ      座面
４７        路溝
ｋ          吸気通路
【図１】
2020204302.tif 000003
【図２】
2020204302.tif 000004
【図３】
2020204302.tif 000005
【図４】
2020204302.tif 000006
【図５】
2020204302.tif 000007
【図６】
2020204302.tif 000008
【図７】
2020204302.tif 000009
【図８】
2020204302.tif 000010
【図９】
2020204302.tif 000011
【図１０】
2020204302.tif 000012
【図１１】
2020204302.tif 000013
【図１２】
2020204302.tif 000014
【図１３】
2020204302.tif 000015
【図１４】
2020204302.tif 000016
【図１５】
2020204302.tif 000017
【図１６】
2020204302.tif 000018